(57)【特許請求の範囲】
【請求項１】
表示面を有し、前記表示面に画像を表示する表示部と、
前記表示面に対するジェスチャー動作に対応する信号を生成するタッチセンサー部と、
前記タッチセンサー部が生成した前記信号に基づき、前記ジェスチャー動作に応じた前記画像を前記表示面に表示させる制御部と
を備え、
前記タッチセンサー部は、前記表示面に対するタッチ位置のスライドを示す前記ジェスチャー動作に対応して、前記タッチ位置のスライドの軌跡を示す軌跡信号を生成し、
前記制御部は、
前記タッチセンサー部が前記軌跡信号を生成すると、前記タッチ位置のスライドの軌跡に基づき、文字画像の描画領域内に前記タッチ位置が存在した回数と閾値との比較を行い、
前記比較の結果から、前記タッチ位置が前記描画領域内に存在した回数が前記閾値以上となった第１文字画像を検出し、
前記第１文字画像を消去し、
前記比較の結果から、前記タッチ位置が前記描画領域内に存在した回数が所定回数以上前記閾値未満の第２文字画像を検出し、
前記表示面に対するタッチが前記タッチセンサー部によって検知されなくなると、前記第２文字画像の消去の許可を問い合わせる第２対話画面を前記表示面に表示させ、
前記第２対話画面を通じて前記第２文字画像の消去が許可されると、前記第２文字画像を前記表示面から消去する、表示装置。
【請求項２】
前記制御部は、前記表示面に対するタッチが前記タッチセンサー部によって検知されなくなると、前記第１文字画像を前記表示面から消去する、請求項１に記載の表示装置。
【請求項３】
前記制御部は、
前記表示面に対するタッチが前記タッチセンサー部によって検知されなくなると、前記第１文字画像の消去の許可を問い合わせる第１対話画面を前記表示面に表示させ、
前記第１対話画面を通じて前記第１文字画像の消去が許可されると、前記第１文字画像を前記表示面から消去する、請求項１に記載の表示装置。
【請求項４】
前記制御部は、前記第１文字画像の前記描画領域内に前記タッチ位置が存在した回数が前記閾値に達すると、前記第１文字画像を前記表示面から消去する、請求項１に記載の表示装置。
【請求項５】
前記制御部は、前記文字画像の前記描画領域内に前記タッチ位置が存在することを検知すると、前記文字画像の色及び濃度の少なくとも一方を変化させる、請求項１から請求項４のいずれか１項に記載の表示装置。
【請求項６】
前記制御部は、前記タッチ位置が前記文字画像の前記描画領域内に存在した回数の増加に応じて、前記文字画像の濃度を徐々に薄くする、請求項５に記載の表示装置。
【請求項７】
請求項１から請求項６のいずれか１項に記載の表示装置を備えた画像形成装置。
【発明の詳細な説明】
【技術分野】
【０００１】
本発明は、表示装置、及びそれを備えた画像形成装置に関する。
【背景技術】
【０００２】
近年、タッチセンサーを備えた表示装置が普及してきている。タッチセンサーは、液晶ディスプレー（Ｌｉｑｕｉｄ  Ｃｒｙｓｔａｌ  Ｄｉｓｐｌａｙ；ＬＣＤ）のような表示部の表示面上に設置され、ユーザーの表示面に対するジェスチャー動作（典型的には、指ジェスチャー動作）に対応する信号を生成する。表示装置が備えるプロセッサーは、タッチセンサーが生成した信号を受信して、例えば、タップ、長押し、フリップ、及びスワイプのようなジェスチャー動作を検知する。
【０００３】
タッチセンサーを備えた表示装置は、タッチセンサーを介してテキストの入力を受け付けるように構成することができる（例えば、特許文献１参照。）。具体的には、表示面に仮想入力装置（典型的には、仮想キーボード）の画像を表示し、仮想入力装置の画像（表示面）に対するジェスチャー動作に応じた文字画像をテキスト入力画面（表示面）に表示する。
【０００４】
一方、テキスト入力画面に表示されているテキストに含まれる文字画像（入力文字）のいずれかを消去するには、ユーザーは、文字削除位置を示すポインター画像（典型的には、カーソル画像）を、テキスト入力画面において所望の位置に表示させた後、仮想入力装置に含まれるデリートキー等の特定のキーを操作する必要がある。タッチセンサーを備えた表示装置の中には、ジェスチャー動作に応じた位置にポインター画像を表示させるものがある。典型的には、ユーザーが長押した箇所にポインター画像を表示させる。
【先行技術文献】
【特許文献】
【０００５】
【特許文献１】特開２０１３−０２０６５２号公報
【発明の概要】
【発明が解決しようとする課題】
【０００６】
しかしながら、ユーザーに対し、テキスト入力画面における所望の位置にポインター画像を表示させる操作と、キー操作によって文字画像を消去させる操作とを要求する構成では、ユーザーは、まず、ポインター画像を表示させる位置を指定して、ポインター画像を表示させる必要がある。
【０００７】
本発明は上記課題に鑑みてなされたものであり、その目的は、ユーザーがカーソル画像のような文字削除位置を示すポインター画像の表示位置を指定する操作を行うことなく、所望の文字画像を消去することができる表示装置、及びそれを備えた画像形成装置を提供することにある。
【課題を解決するための手段】
【０００８】
本発明の表示装置は、表示部と、タッチセンサー部と、制御部とを備える。前記表示部は、表示面を有し、前記表示面に画像を表示する。前記タッチセンサー部は、前記表示面に対するジェスチャー動作に対応する信号を生成する。前記制御部は、前記タッチセンサー部が生成した前記信号に基づき、前記ジェスチャー動作に応じた前記画像を前記表示面に表示させる。また、前記タッチセンサー部は、前記表示面に対するタッチ位置のスライドを示す前記ジェスチャー動作に対応して、前記タッチ位置のスライドの軌跡を示す軌跡信号を生成する。前記制御部は、前記タッチセンサー部が前記軌跡信号を生成すると、前記タッチ位置のスライドの軌跡に基づき、文字画像の描画領域内に前記タッチ位置が存在した回数と閾値との比較を行う。更に、前記制御部は、前記比較の結果から、前記タッチ位置が前記描画領域内に存在した回数が前記閾値以上となった第１文字画像を検出する。また、前記制御部は、前記第１文字画像を消去する。
【０００９】
本発明の画像形成装置は、上記表示装置を備える。
【発明の効果】
【００１０】
本発明によれば、ユーザーは、カーソル画像のような文字削除位置を示すポインター画像の表示位置を指定する操作を行うことなく、所望の文字画像を消去することができる。
【図面の簡単な説明】
【００１１】
【図１】本発明の実施形態に係る画像形成装置を示す図である。
【図２】本発明の実施形態に係る表示装置の構成を示すブロック図である。
【図３】（ａ）は、本発明の実施形態１に係る文字の消去を指示するジェスチャー動作の一例を示す図である。（ｂ）は、図３（ａ）に示すジェスチャー動作によって文字が消去された後のテキストを示す図である。
【図４】（ａ）は、本発明の実施形態２に係る文字の消去を指示するジェスチャー動作の一例を示す図である。（ｂ）は、図４（ａ）に示すジェスチャー動作に基づいて表示される第１対話画面を示す図である。
【図５】（ａ）は、本発明の実施形態３に係る文字の消去を指示するジェスチャー動作の一例を示す図である。（ｂ）は、図５（ａ）に示すジェスチャー動作に基づいて表示される第２対話画面を示す図である。
【図６】（ａ）は、本発明の実施形態４に係るテキスト入力画面の一例を示す図である。（ｂ）は、本発明の実施形態４に係る文字の消去を指示するジェスチャー動作の一例を示す図である。（ｃ）は、図６（ｂ）に示すジェスチャー動作の実行後のテキストを示す図である。
【図７】（ａ）は、本発明の実施形態５に係るテキスト入力画面の一例を示す図である。（ｂ）は、本発明の実施形態５に係る文字の消去を指示するジェスチャー動作の一例を示す図である。（ｃ）は、図７（ｂ）に示すジェスチャー動作に基づいて表示される第２対話画面を示す図である。
【発明を実施するための形態】
【００１２】
以下、図面を参照して本発明の実施形態を説明する。ただし、本発明は以下の実施形態に限定されない。図中、同一又は相当部分については同一の参照符号を付して説明を繰り返さない。
【００１３】
［実施形態１］
図１は、本実施形態に係る画像形成装置を示す図である。図１に示すように、画像形成装置１００は、操作パネル部１を備える。操作パネル部１は、タッチパネル部２を含む。本実施形態において、画像形成装置１００は、電子写真方式の複合機である。
【００１４】
続いて図２を参照して、画像形成装置１００が備える表示装置１０１の構成について説明する。図２は、表示装置１０１の構成を示すブロック図である。図２に示すように、表示装置１０１は、操作パネル部１、記憶部３、及び制御部４を備える。操作パネル部１は、タッチパネル部２、及びハードキー５を含み、タッチパネル部２は、タッチセンサー６、及び表示部７を含む。
【００１５】
操作パネル部１は、画像形成装置１００の操作パネル部である。操作パネル部１に含まれるハードキー５は、ユーザーによって操作されると、その操作に応じた信号を制御部４へ送信する。ユーザーは、ハードキー５を操作して、制御部４へ各種の指示を与えることができる。例えば、ハードキー５は、スタートキー、決定キー、及びテンキーを含み得る。更に、ハードキー５は、画像形成装置１００の動作モードを、コピー、スキャナー、及びファクシミリ送受信等の各動作モード間で切り換えるためのキーや、選択された文書の印刷、送信、及び受信等を指示するためのキーを含み得る。
【００１６】
タッチセンサー６は表示部７の表示面上に配置され、表示部７の表示面に対するジェスチャー動作（典型的には、指ジェスチャー動作）に対応する信号を生成する。詳しくは、ユーザーによるタッチを検知し、タッチ位置（タッチされた位置）に対応する信号を生成する。ユーザーは、ジェスチャー動作により、制御部４へ各種の指示を与えることができる。表示部７は、例えばＬＣＤである。なお、本実施形態では、操作パネル部１がタッチパネル部２とハードキー５とを含む構成について説明するが、ハードキー５は省略され得る。
【００１７】
タッチセンサー６の構成は、ジェスチャー動作の検知が可能である限り特に限定されるものではない。例えば、静電容量方式のタッチセンサー、抵抗膜方式のタッチセンサー、又は超音波検出方式のタッチセンサーを採用することができる。
【００１８】
記憶部３は、画像形成装置１００の記憶部である。記憶部３は、例えば、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）によって構成され得る。記憶部３は、プログラムや設定情報などを記憶する。設定情報は、具体的には、タッチセンサー６が生成する信号と座標との対応を示す座標テーブルのデータを含む。また、設定情報は、表示部７に表示する文字のフォントを示すフォント設定情報や、表示部７に表示する文字のサイズを示す文字サイズ設定情報などを含む。記憶部３は更に、表示部７に表示する画像の画像データを記憶する。
【００１９】
制御部４は、画像形成装置１００の制御部である。制御部４は、例えばＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）のようなプロセッサーを含む。また、制御部４は、画像処理用のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）を含む。更に、制御部４は、表示部７の駆動回路等の各駆動回路を含む。
【００２０】
制御部４は、記憶部３に記憶されているプログラムを実行することによって、数値計算や情報処理、機器制御のような様々な処理を行い、表示装置１０１を含む画像形成装置１００の各部の動作を制御する。つまり、制御部４は、ユーザーによるハードキー５の操作に応じて、画像形成装置１００の各部の動作を制御する。また、表示部７の表示面に対するジェスチャー動作に応じて、画像形成装置１００の各部の動作を制御する。具体的には、制御部４は、タッチセンサー６が生成した信号に基づき、例えば、タップ、長押し、フリップ、及びスワイプのようなジェスチャー動作に応じた画像を表示部７の表示面に表示させる。
【００２１】
表示装置１０１は、タッチセンサー６を介してテキストの入力を受け付けるように構成されている。以下、テキスト入力画面に表示されているテキストに含まれる文字画像（入力文字）のいずれかを消去する際に制御部４が実行する処理（文字消去処理）について説明する。
【００２２】
本実施形態において、制御部４は、ジェスチャー動作に応じて、テキスト入力画面に表示されている文字画像のいずれかを消去する。具体的には、表示部７の表示面に対して、文字画像を擦るようなジェスチャー動作が行われると、擦られた文字画像を消去する。
【００２３】
詳しくは、表示部７がテキスト入力画面を表示している状態において、タッチ位置のスライドを示すジェスチャー動作がユーザーによって行われると、タッチセンサー６が、そのジェスチャー動作に対応して、タッチ位置のスライドの軌跡を示す軌跡信号を生成する。制御部４は、タッチセンサー６が軌跡信号を生成すると、タッチ位置のスライドの軌跡に基づき、各文字画像の描画領域内にタッチ位置が存在した回数を計数する。換言すると、制御部４は、タッチが連続して続いている間に、各文字画像の描画領域内にタッチ位置が存在した回数を計数（カウント）する。また、制御部４は、各文字画像に対する計数結果と閾値とを比較する。制御部４は、その比較の結果から、タッチ位置が描画領域内に存在した回数が閾値（例えば、３回）以上となった文字画像を、消去対象の文字画像として検出する。閾値を示す情報は、記憶部３に記憶されている。
【００２４】
より具体的には、制御部４は、タッチセンサー６が生成する軌跡信号に基づき、座標データを参照してタッチ位置が通過した各座標を時系列に沿って順次取得する。その一方で、制御部４は、取得した座標と、表示部７に表示されている画像の画像データとを順次比較し、テキストを構成する文字画像の中から、消去対象の文字画像を検出する。文字画像の描画領域の範囲は、座標によって特定することが可能である。
【００２５】
制御部４は、表示部７の表示面に対するタッチがタッチセンサー６によって検知されなくなると、テキスト入力画面に含まれるテキストの画像データから、消去対象の文字画像の画像データを消去する。その結果、消去対象の文字画像が表示面から消去される。典型的には、ユーザーが表示部７の表示面（タッチセンサー６）から指を離すことにより、消去対象の文字画像が表示面から消去される。なお、制御部４は、表示部７の表示面に対するタッチがタッチセンサー６によって検知されなくなると、各文字画像に対する計数結果（カウント値）を初期化する。換言すると、カウント値を０に戻す。
【００２６】
また、制御部４は、テキスト入力画面のレイアウト方向において消去対象の文字画像に後続する文字画像（以下、後続文字画像と記載する場合がある。）が存在する場合、消去対象の文字画像の消去にあわせて後続文字画像の表示位置を変化させて、後続文字画像をレイアウト方向に沿って詰める。具体的には、テキスト入力画面に含まれるテキストの画像データにおいて、文字画像が消去されたエリアを埋めるように、レイアウト方向に沿って後続文字画像の画像データを移動させる。
【００２７】
以上説明した文字消去処理について、図３（ａ）及び図３（ｂ）を参照して具体的に説明する。図３（ａ）は、文字の消去を指示するジェスチャー動作を示し、図３（ｂ）は、図３（ａ）に示すジェスチャー動作によって文字が消去された後のテキストを示す。図３（ａ）及び図３（ｂ）に示す例では、制御部４は、３回以上擦られた文字を消去する。なお、理解の容易のために、図３（ａ）及び図３（ｂ）にはタッチセンサー６を図示していない。
【００２８】
図３（ａ）に示すように、４つのひらがな文字「あ」（ひらがな文字「あ」を示す４つの文字画像９ａ）、４つのひらがな文字「い」（ひらがな文字「い」を示す４つの文字画像９ｂ）、及び４つのひらがな文字「う」（ひらがな文字「う」を示す４つの文字画像９ｃ）からなるテキスト（確定したテキスト）を含むテキスト入力画面が表示されている状態で、ひらがな文字「い」を示す４つの文字画像９ｂ（以下、文字画像「い」９ｂと記載する。）がそれぞれ３回以上擦られ、ひらがな文字「う」を示す４つの文字画像９ｃ（以下、文字画像「う」９ｃと記載する。）がそれぞれ２回擦られた場合、図３（ｂ）に示すように、４つの文字画像「い」９ｂが表示面７ａから消去される。
【００２９】
詳しくは、制御部４は、矢印で示すタッチ位置Ｔのスライドの軌跡に基づき、タッチ位置Ｔが通過した各座標を時系列に沿って順次取得する。その一方で、制御部４は、取得した座標と、表示面７ａに表示されている画像の画像データとを順次比較する。その結果、制御部４は、ひらがな文字「あ」を示す各文字画像９ａ（以下、文字画像「あ」９ａと記載する。）の描画領域内にタッチ位置Ｔが存在した回数が０回であり、各文字画像「い」９ｂの描画領域内にタッチ位置Ｔが存在した回数が３回以上であり、各文字画像「う」９ｃの描画領域内にタッチ位置Ｔが存在した回数が２回であることを検知する。つまり、消去対象の文字画像として、４つの文字画像「い」９ｂが検出される。制御部４は、表示面７ａに対するタッチがタッチセンサー６によって検知されなくなると、図３（ｂ）に示すように、消去対象の４つの文字画像「い」９ｂを表示面７ａから消去する。
【００３０】
また、図３（ａ）及び図３（ｂ）に示す例では、４つの文字画像「う」９ｃが、テキスト入力画面のレイアウト方向に沿って、消去対象の４つの文字画像「い」９ｂに後続している。したがって、図３（ｂ）に示すように、４つの文字画像「い」９ｂの消去にあわせて、４つの文字画像「う」９ｃが、レイアウト方向に沿って４つの文字画像「あ」９ａに繋がるように移動する。
【００３１】
以上説明した実施形態１によれば、ユーザーは、カーソル画像のような文字削除位置を示すポインター画像を表示させる位置を指定して、ポインター画像を表示させることなく、所望の文字画像を消去することができる。また、文字画像を擦るというジェスチャー動作によって消去対象の文字画像を消去できるため、より直感的に文字の消去を行うことができる。したがって、操作性の向上、及び利便性の向上を図ることができる。
【００３２】
なお、制御部４は、擦られた文字の色を変更し得る。即ち、制御部４は、文字画像の描画領域内にタッチ位置Ｔが存在することを検知すると、その文字画像の色を変化させてもよい。例えば、制御部４は、文字画像の描画領域内にタッチ位置Ｔが存在した回数が、閾値以下に設定されている所定回数に達したことを検知した場合に、その文字画像の色を変化させてもよい。あるいは、制御部４は、文字画像の色を、その文字画像が擦られた回数に応じて変更してもよい。例えば、制御部４は、文字画像の描画領域内にタッチ位置Ｔが存在した回数が増える度に、その文字画像の色を変更してもよい。
【００３３】
擦られた文字の色が変更されることにより、文字が消去される前に、消去対象の文字をユーザーに視覚的に知らせることができ、利便性が向上する。文字の色を何色に変更するかは、例えば、記憶部３が色変更テーブルを予め記憶しておき、制御部４が色変更テーブルを参照して決定してもよい。例えば、初期の文字の色（変更前の色）と、変更後の文字の色との対応を示す色変更テーブルを使用し得る。又は、初期の文字の色と、擦られた回数に応じた文字の色の変化との対応を示す色変更テーブルを使用し得る。あるいは、ユーザーが文字の色の変化の規則を任意に設定可能な構成としてもよい。
【００３４】
また、制御部４は、擦られた文字の濃度を薄くし得る。即ち、制御部４は、文字画像の描画領域内にタッチ位置Ｔが存在することを検知すると、その文字画像の濃度を薄くしてもよい。例えば、制御部４は、文字画像の描画領域内にタッチ位置Ｔが存在した回数が、閾値以下に設定されている所定回数に達したことを検知した場合に、その文字画像の濃度を変化させてもよい。あるいは、制御部４は、文字画像の濃度を、その文字画像が擦られた回数に応じて徐々に薄くしてもよい。例えば、制御部４は、文字画像の描画領域内にタッチ位置Ｔが存在した回数が増える度に、その文字画像の濃度を変更してもよい。
【００３５】
擦られた文字の濃度が変更されることにより、文字が消去される前に、消去対象の文字をユーザーに視覚的に知らせることができ、利便性が向上する。また、擦られた回数の増加に応じて（タッチ位置が文字画像の描画領域内に存在した回数の増加に応じて）文字の濃度を徐々に薄くすることにより、ユーザーが文字の消去をより直感的に行うことが可能となる。
【００３６】
文字の濃度をどの程度薄くするかは、例えば、記憶部３が濃度変更テーブルを予め記憶しておき、制御部４が濃度変更テーブルを参照して決定してもよい。例えば、初期の文字の濃度値（変更前の濃度値）と、変更後の文字の濃度値との対応を示す濃度変更テーブルを使用し得る。又は、初期の文字の濃度値と、擦られた回数に応じた濃度値の変化との対応を示す濃度変更テーブルを使用し得る。あるいは、ユーザーが文字の濃度の変化の規則を任意に設定可能な構成としてもよい。
【００３７】
［実施形態２］
続いて、図面（図２、図４（ａ）、及び図４（ｂ））を参照して、実施形態２について説明する。但し、実施形態１と異なる事項を主に説明し、実施形態１と重複する説明は適宜割愛する。実施形態２は、表示装置１０１がジェスチャー動作に応じて第１対話画面を表示する点において、実施形態１と異なる。第１対話画面は、消去対象の文字画像の消去の許可を問い合わせるダイアログボックス画面である。
【００３８】
まず、図２を参照して、実施形態２に係る表示装置１０１について説明する。実施形態２において、制御部４は、表示部７の表示面に対するタッチがタッチセンサー６によって検知されなくなると、表示部７の表示面に第１対話画面を表示する。その後、第１対話画面を通じて文字画像の消去が許可されると、制御部４は、消去対象の文字画像を表示部７の表示面から消去する。
【００３９】
以上説明した処理について、図４（ａ）及び図４（ｂ）を参照して具体的に説明する。図４（ａ）は、文字の消去を指示するジェスチャー動作を示し、図４（ｂ）は、図４（ａ）に示すジェスチャー動作に基づいて表示される第１対話画面１０ａを示す。図４（ａ）及び図４（ｂ）に示す例では、制御部４は、３回以上擦られた文字を消去する。なお、理解の容易のために、図４（ａ）及び図４（ｂ）にはタッチセンサー６を図示していない。
【００４０】
図４（ａ）に示すように、４つの文字画像「い」９ｂがそれぞれ３回以上擦られた場合、表示面７ａに対するタッチがタッチセンサー６によって検知されなくなると、図４（ｂ）に示すように第１対話画面１０ａが表示される。
【００４１】
第１対話画面１０ａは、メッセージ画像１１と、第１ボタン画像１２と、第２ボタン画像１３とを含む。メッセージ画像１１は、消去対象の文字（図４（ｂ）に示す例では、４つの「い」）の消去の許可を問い合わせるメッセージを示す。第１ボタン画像１２がタッチされると、消去対象の文字の消去が制御部４に指示される。第２ボタン画像１３がタッチされると、文字消去処理のキャンセルが制御部４に指示される。したがって、ユーザーが第１ボタン画像１２をタッチすることにより、４つの文字画像「い」９ｂの消去が許可されて、制御部４は、４つの文字画像「い」９ｂを表示面７ａから消去する。
【００４２】
以上説明した実施形態２によれば、ユーザーが消去を望んでいない文字が消去され難くなる。したがって、利便性の向上を図ることができる。
【００４３】
［実施形態３］
続いて、図面（図２、図５（ａ）、及び図５（ｂ））を参照して、実施形態３について説明する。但し、実施形態１、２と異なる事項を主に説明し、実施形態１、２と重複する説明は適宜割愛する。実施形態３は、テキストを構成する各文字画像のうち、擦られた回数が閾値よりも１回少ない文字画像を消去する点において、実施形態１、２と異なる。
【００４４】
まず、図２を参照して、実施形態３に係る表示装置１０１について説明する。実施形態３において、制御部４は、タッチセンサー６が軌跡信号を生成すると、タッチ位置のスライドの軌跡に基づき、各文字画像の描画領域内にタッチ位置が存在した回数を計数し、各文字画像の計数結果と閾値とを比較する。そして、制御部４は、その比較の結果から、タッチ位置が描画領域内に存在した回数が閾値以上となった文字画像を、第１消去対象の文字画像として検出する。
【００４５】
更に、実施形態３に係る制御部４は、タッチ位置が描画領域内に存在した回数が閾値よりも１回少ない文字画像を、第２消去対象の文字画像として検出する。また、制御部４は、表示部７の表示面に対するタッチがタッチセンサー６によって検知されなくなると、テキスト入力画面に含まれるテキストの画像データから、第１消去対象の文字画像の画像データを消去するとともに、表示部７の表示面に第２対話画面を表示する。第２対話画面は、第２消去対象の文字画像の消去の許可を問い合わせるダイアログボックス画面である。第２対話画面を通じて文字画像の消去が許可されると、制御部４は、第２消去対象の文字画像を表示部７の表示面から消去する。
【００４６】
以上説明した処理について、図５（ａ）及び図５（ｂ）を参照して具体的に説明する。図５（ａ）は、文字の消去を指示するジェスチャー動作を示し、図５（ｂ）は、図５（ａ）に示すジェスチャー動作に基づいて表示される第２対話画面１０ｂを示す。図５（ａ）及び図５（ｂ）に示す例では、制御部４は、３回以上擦られた文字を消去する。また、２回擦られた文字の消去をユーザーに問い合わせる。なお、理解の容易のために、図５（ａ）及び図５（ｂ）にはタッチセンサー６を図示していない。
【００４７】
図５（ａ）に示すように、４つの文字画像「い」９ｂがそれぞれ３回以上擦られ、４つの文字画像「う」９ｃがそれぞれ２回擦られた場合、第１消去対象の文字画像として、４つの文字画像「い」９ｂが検出され、第２消去対象の文字画像として、４つの文字画像「う」９ｃが検出される。
【００４８】
表示部７の表示面７ａに対するタッチがタッチセンサー６によって検知されなくなると、図５（ｂ）に示すように、制御部４は、第１消去対象の４つの文字画像「い」９ｂを表示面７ａから消去する。また、４つの文字画像「い」９ｂの消去にあわせて、４つの文字画像「う」９ｃが、４つの文字画像「あ」９ａに繋がるようにレイアウト方向に沿って移動する。更に、実施形態３では、第２対話画面１０ｂが表示される。
【００４９】
第２対話画面１０ｂは、図４（ｂ）を参照して説明した第１対話画面１０ａと同様に、メッセージ画像１１と、第１ボタン画像１２と、第２ボタン画像１３とを含む。メッセージ画像１１は、第２消去対象の文字（図５（ｂ）に示す例では、４つの「う」）の消去の許可を問い合わせるメッセージを示す。ユーザーが第１ボタン画像１２をタッチすることにより、４つの文字画像「う」９ｃの消去が許可されて、制御部４は、４つの文字画像「う」９ｃを表示面７ａから消去する。
【００５０】
以上説明した実施形態３によれば、本来であれば消去したかったが、擦る回数を誤ったために消去されなかった文字の消去が、文字を擦るジェスチャー動作を再度行うことなく可能となる。したがって、利便性の向上を図ることができる。
【００５１】
なお、本実施形態では、擦られた回数が閾値よりも１回少ない文字画像の消去をユーザーに問い合わせる例について説明したが、第２消去対象となる文字画像は、擦られた回数が閾値よりも１回少ない文字画像にのみ限定されるものではない。制御部４は、タッチ位置が描画領域内に存在した回数が所定回数以上閾値未満の文字画像を、第２消去対象の文字画像として検出し得る。例えば、閾値として３回が設定されるとともに、所定回数として１回が設定されている場合、第２消去対象の文字画像として、擦られた回数が１回以上３回未満の文字画像が検出される。具体的には、擦られた回数が３回（閾値）よりも１回少ない文字画像と２回少ない文字画像とが検出される。
【００５２】
［実施形態４］
続いて、図面（図２、及び図６（ａ）〜図６（ｃ））を参照して、実施形態４について説明する。但し、実施形態１〜３と異なる事項を主に説明し、実施形態１〜３と重複する説明は適宜割愛する。実施形態４は、表示部７の表示面に対するタッチがタッチセンサー６によって検知されていても、タッチ位置が描画領域内に存在した回数が閾値に達した文字画像を消去する点において、実施形態１〜３と異なる。
【００５３】
まず、図２を参照して、実施形態４に係る表示装置１０１について説明する。実施形態４において、制御部４は、タッチセンサー６が軌跡信号を生成すると、タッチ位置のスライドの軌跡に基づき、各文字画像の描画領域内にタッチ位置が存在した回数を計数し、各文字画像の計数結果と閾値とを比較する。そして、制御部４は、その比較の結果から、タッチ位置が描画領域内に存在した回数が閾値に達した文字画像の画像データを、テキスト入力画面に含まれるテキストの画像データから順次消去する。
【００５４】
また、制御部４は、表示部７の表示面に対するタッチがタッチセンサー６によって検知されなくなると、消去した文字画像に後続する文字画像（後続文字画像）が存在するか否かの判定を行う。制御部４は、その判定の結果、後続文字画像が存在する場合、後続文字画像の表示位置を変化させて、後続文字画像をレイアウト方向に沿って詰める。
【００５５】
以上説明した文字消去処理について、図６（ａ）〜図６（ｃ）を参照して具体的に説明する。図６（ａ）は、テキスト入力画面を示し、図６（ｂ）は、文字の消去を指示するジェスチャー動作を示し、図６（ｃ）は、図６（ｂ）に示すジェスチャー動作の実行後のテキストを示す。図６（ａ）〜図６（ｃ）に示す例では、制御部４は、３回以上擦られた文字を消去する。なお、理解の容易のために、図６（ａ）〜図６（ｃ）にはタッチセンサー６を図示していない。
【００５６】
図６（ａ）に示すように、４つの文字画像「あ」９ａと、４つの文字画像「い」９ｂと、４つの文字画像「う」９ｃとからなるテキスト（確定したテキスト）を含むテキスト入力画面に対して、図６（ｂ）に示すように、４つの文字画像「い」９ｂがそれぞれ３回以上擦られ、４つの文字画像「う」９ｃがそれぞれ２回擦られた場合、４つの文字画像「い」９ｂがそれぞれ、３回擦られた時点で表示面７ａから順次消去される。その後、表示面７ａに対するタッチがタッチセンサー６によって検知されなくなると、図６（ｃ）に示すように、４つの文字画像「う」９ｃが、レイアウト方向に沿って４つの文字画像「あ」９ａに繋がるように移動する。
【００５７】
以上説明した実施形態４よれば、実施形態１と同様に、ユーザーは、カーソル画像のような文字削除位置を示すポインター画像を表示させる位置を指定して、ポインター画像を表示させることなく、所望の文字画像を消去することができる。また、文字画像を擦るというジェスチャー動作によって消去対象の文字画像を消去できるため、より直感的に文字の消去を行うことができる。したがって、操作性の向上、及び利便性の向上を図ることができる。
【００５８】
なお、閾値が２回以上に設定されていることを条件として、制御部４は、実施形態１で説明したように、擦られた文字の色及び濃度の少なくとも一方を変更し得る。
【００５９】
また、制御部４は、タッチ位置が描画領域内に存在した回数が閾値に達した文字画像を表示面７ａから消去する際に、消去対象の文字画像の画像データを消去することなく、消去対象の文字画像を表示面７ａから消去してもよい。この場合、制御部４は、表示面７ａに対するタッチがタッチセンサー６によって検知されなくなると、消去対象の文字画像の画像データを消去する。例えば、制御部４は、消去対象の文字画像を表示面７ａから消去するために、消去対象の文字画像の透明度を１００％にしてもよいし、消去対象の文字画像の色を背景色と同じ色にしてもよい。
【００６０】
また、制御部４は、表示面７ａに対するタッチがタッチセンサー６によって検知されなくなる前に、表示面７ａから消去した文字画像を再度表示させてもよい。例えば、制御部４は、表示面７ａから消去した文字画像の描画領域内においてタッチを検知すると、その文字画像を表示面７ａに再度表示するために、その文字画像の透明度を１００％から０％に変更してもよいし、その文字画像の色を背景色から元の色に戻してもよい。更に、制御部４は、表示面７ａに対するタッチがタッチセンサー６によって検知されなくなる前に、再表示した文字画像の描画領域内においてタッチを検知すると、その再表示した文字画像を再度消去してもよい。
【００６１】
［実施形態５］
続いて、図面（図２、及び図７（ａ）〜図７（ｃ））を参照して、実施形態５について説明する。但し、実施形態４と異なる事項を主に説明し、実施形態４と重複する説明は適宜割愛する。実施形態５は、テキストを構成する各文字画像のうち、擦られた回数が閾値よりも１回少ない文字画像を消去する点において、実施形態４と異なる。
【００６２】
まず、図２を参照して、実施形態５に係る表示装置１０１について説明する。実施形態５において、制御部４は、タッチセンサー６が軌跡信号を生成すると、タッチ位置のスライドの軌跡に基づき、各文字画像の描画領域内にタッチ位置が存在した回数を計数し、各文字画像の計数結果と閾値とを比較する。そして、制御部４は、その比較の結果から、タッチ位置が描画領域内に存在した回数が閾値に達した文字画像（第１消去対象の文字画像）を表示部７の表示面から順次消去する。
【００６３】
更に、実施形態５に係る制御部４は、タッチ位置が描画領域内に存在した回数が閾値よりも１回少ない文字画像（第２消去対象の文字画像）を検出する。制御部４は、表示部７の表示面に対するタッチがタッチセンサー６によって検知されなくなると、表示部７の表示面に第２対話画面を表示する。第２対話画面は、第２消去対象の文字画像の消去の許可を問い合わせるダイアログボックス画面である。第２対話画面を通じて文字画像の消去が許可されると、制御部４は、第２消去対象の文字画像を表示部７の表示面から消去する。
【００６４】
以上説明した処理について、図７（ａ）〜図７（ｃ）を参照して具体的に説明する。図７（ａ）は、テキスト入力画面を示し、図７（ｂ）は、文字の消去を指示するジェスチャー動作を示し、図７（ｃ）は、図７（ｂ）に示すジェスチャー動作に基づいて表示される第２対話画面１０ｂを示す。図７（ａ）〜図７（ｃ）に示す例では、制御部４は、３回以上擦られた文字を消去する。また、２回擦られた文字の消去をユーザーに問い合わせる。なお、理解の容易のために、図７（ａ）〜図７（ｃ）にはタッチセンサー６を図示していない。
【００６５】
図７（ａ）に示すように、４つの文字画像「あ」９ａと、４つの文字画像「い」９ｂと、４つの文字画像「う」９ｃとからなるテキスト（確定したテキスト）を含むテキスト入力画面に対して、図７（ｂ）に示すように、４つの文字画像「い」９ｂがそれぞれ３回以上擦られ、４つの文字画像「う」９ｃがそれぞれ２回擦られた場合、４つの文字画像「い」９ｂがそれぞれ、３回擦られた時点で表示面７ａから順次消去される。
【００６６】
その後、表示面７ａに対するタッチがタッチセンサー６によって検知されなくなると、図７（ｃ）に示すように、４つの文字画像「う」９ｃが、レイアウト方向に沿って４つの文字画像「あ」９ａに繋がるように移動する。更に、実施形態５では、第２対話画面１０ｂが表示される。
【００６７】
第２対話画面１０ｂは、図５（ｂ）を参照して説明したように、メッセージ画像１１と、第１ボタン画像１２と、第２ボタン画像１３とを含む。メッセージ画像１１は、第２消去対象の文字（図５（ｂ）に示す例では、４つの「う」）の消去の許可を問い合わせるメッセージを示す。ユーザーが第１ボタン画像１２をタッチすることにより、４つの文字画像「う」９ｃの消去が許可されて、制御部４は、４つの文字画像「う」９ｃを表示面７ａから消去する。
【００６８】
以上説明した実施形態５によれば、本来であれば消去したかったが、擦る回数を誤ったために消去されなかった文字の消去が、文字を擦るジェスチャー動作を再度行うことなく可能となる。したがって、利便性の向上を図ることができる。なお、実施形態３で説明したように、第２消去対象となる文字画像は、擦られた回数が閾値よりも１回少ない文字画像にのみ限定されるものではない。即ち、制御部４は、タッチ位置が描画領域内に存在した回数が所定回数以上閾値未満の文字画像を、第２消去対象の文字画像として検出し得る。
【００６９】
以上、本発明による実施形態について図面を参照しながら説明した。但し、本発明は、上記の実施形態に限られるものではなく、その要旨を逸脱しない範囲で種々の態様において実施することが可能である。
【００７０】
例えば、本発明による実施形態では、消去対象の文字画像の検出に用いられる閾値が３回である場合を例に説明したが、閾値は特に限定されるものではなく、閾値として１回以上を設定し得る。また、ユーザーが閾値を任意に設定可能な構成としてもよい。
【００７１】
また、本発明による実施形態は、電子写真方式の複合機を例に説明されたが、本発明は、電子写真方式の複写機や印刷機等の各種の画像形成装置に適用することができる。
【００７２】
また、本発明は、電子写真方式の画像形成装置にのみ適用されるものではなく、インクジェット方式等の他の方式の画像形成装置にも適用することができる。
【００７３】
また、本発明は、画像形成装置にのみ適用されるものではなく、タッチパネルを備えるスマートフォン、携帯電話機、ＰＣ（Ｐｅｒｓｏｎａｌ  Ｃｏｍｐｕｔｅｒ）、ＰＤＡ（Ｐｅｒｓｏｎａｌ  Ｄａｔａ  Ａｓｓｉｓｔａｎｔ）、テレビジョン機等の各種の電子機器に適用可能である。
【産業上の利用可能性】
【００７４】
本発明は、タッチセンサー付きディスプレーを備えた様々な電子機器に応用することができる。
【符号の説明】
【００７５】
１          操作パネル部
２          タッチパネル部
４          制御部
６          タッチセンサー
７          表示部
７ａ        表示面
９ａ〜９ｃ  文字画像
１０ａ      第１対話画面
１０ｂ      第２対話画面
１００      画像形成装置
１０１      表示装置
Ｔ          タッチ位置
【図１】
0006358223.tif 000002
【図２】
0006358223.tif 000003
【図３】
0006358223.tif 000004
【図４】
0006358223.tif 000005
【図５】
0006358223.tif 000006
【図６】
0006358223.tif 000007
【図７】
0006358223.tif 000008